(57)【要約】      （修正有）【課題】洗濯物が物干し竿から落ちないようにする物干し具を提供する。【解決手段】同じ長さの２本の棒体３を平行に配置し、それら棒体３の間に網４を張る。そして、それぞれの棒体３の対応する端部には、互いに係合し得るような係合部２を設ける。このようにして構成した物干し具１を、物干し竿に単に掛けられている洗濯物の上に被せる。そして、両側に垂れる２本の棒体３の対応する端部の係合部２を係合し、洗濯物を保持する。【選択図】図１
0003110946.tif 000002
【実用新案登録請求の範囲】
【請求項１】
同じ長さの平行に配置された第１，第２の棒体と、
該第１，第２の棒体の間に張られた網と、
前記第１，第２の棒体の対応する端部に、互いに係合し得るよう設けられた係合部と
により構成され、
物干し竿に掛けられた洗濯物の上に被せ、前記第１，第２の棒体の対応する端部の係合部を係合させることにより洗濯物を保持するようにしたことを特徴とする物干し具。
【考案の詳細な説明】
【技術分野】
【０００１】
本考案は、物干し竿に掛けた洗濯物が、風などで落ちないようにするための物干し具に関するものである。
【背景技術】
【０００２】
物干し竿に洗濯物を干す際に、風などで落ちないようにするためには、従来、洗濯挟みが用いられて来た。
洗濯物を物干し竿に掛けると、両側に洗濯物の端が垂れるが、その端を洗濯挟みで挟んで落ちないようにする。小さな洗濯物の場合は、１箇所を挟むだけで済むが、大きな洗濯物の場合は、適当な間隔を置いて、２箇所あるいはそれ以上の箇所で挟む必要があった。
【考案の開示】
【考案が解決しようとする課題】
【０００３】
洗濯挟みで挟んで落ちないようにするという従来の干し方には、洗濯物を干す時および取り入れる時に、洗濯挟みを１つ１つ確実に開閉操作しなければならず、手間や労力がかかるという問題点があった。
洗濯挟みで干す時は、周知のように、洗濯挟みの端を親指と人指し指とで挟むことにより、バネの力に抗して洗濯挟みの口を開け、その口に洗濯物を差し入れ、指を放してバネの力で挟む。このバネの力は、相当の風が吹いても洗濯物が外れないようにするため、かなり強いものが用いられている。乾いた洗濯物を取り入れる時は、同様に親指と人指し指とで挟んで洗濯挟みの口を開け、洗濯物をその口から外す。
【０００４】
洗濯物を干す時と取り入れる時には、上記のような開閉操作を、洗濯挟みで挟むべき箇所の数だけ、何回も何回も行う必要がある。しかし、挟む箇所は洗濯物の数の何倍もあるわけであるから、この手間は大変なものであった。物干しに要する手間とは、洗濯挟みの開閉操作の手間と言っても過言ではない位である。
また、高齢者等の身体機能が衰えた人にとっては、次のような事情も加わり、労力も大変であった。
【０００５】
即ち、洗濯挟みを開く際に親指と人指し指が出すべき力の方向は、同じ直線上にあってしかも丁度逆の方向になっていなければならない。バネの力はかなり強いから、指の力が弱いと、開こうとして力を入れても指がグラグラし、力の方向がきちんと定まらないことがある。一寸でも方向がずれると、洗濯挟みはうまく開いてくれない。ところが、高齢になると指の力が衰えているから、なかなかこれがうまく行えず、この開閉操作を確実に行うという労力も大変になる。
このように、洗濯挟みは、通常の成人には造作なく扱うことが出来るものではあるが、高齢者等には、手早く扱えるというものではない。
本考案は、以上のような問題点を解決することを課題とするものである。
【課題を解決するための手段】
【０００６】
前記課題を解決するため、本考案では、同じ長さの平行に配置された第１，第２の棒体と、該第１，第２の棒体の間に張られた網と、前記第１，第２の棒体の対応する端部に、互いに係合し得るよう設けられた係合部とにより物干し具を構成することとし、これを物干し竿に掛けられた洗濯物の上に被せ、前記第１，第２の棒体の対応する端部の係合部を係合させることにより、洗濯物を保持するようにした。
【考案の効果】
【０００７】
本考案の物干し具によれば、洗濯物を干す場合も取り入れる場合も、洗濯挟みを全く使用する必要がなくなるし、多くの洗濯物を１つの物干し具をフワリと被せるだけで、落ちないように保持することが可能となる。従って、多くの洗濯挟みを１つ１つ開閉操作する必要がなくなり、大幅に手間がかからなくなる。また、洗濯挟みの開閉操作が手早く出来なくなっている高齢者等にとって、洗濯挟みを用いる場合に比べ、労力もかからなくなる。
【考案を実施するための最良の形態】
【０００８】
以下、本考案の実施形態を図面に基づいて詳細に説明する。
図１は、本考案の物干し具を示す図である。図１において、１は物干し具、２は係合部、３は棒体、４は網である。
本考案の物干し具１は、棒体３を２本具え、平行に配置されたその２本の棒体３の間に、網４が張られることにより構成される。従って、網４の全体形状は自ずと長方形となり、棒体３はその対向する２辺を形成する形となる。棒体３の材質としては、金属棒のように重くて剛性の強いものでなくともよく、ビニールパイプ等のように、軽くて良くしなる材質のものでよい。
【０００９】
棒体３の両端には、係合部２が設けられる。係合部２は、他方の棒体３の対応する係合部２と着脱自在に係合するための部分である。係合部２の具体的手段としては、手軽に係合し得るものであれば、何でも使用することが出来る。
例えば、面ファスナーを使用することが出来る。面ファスナーを棒体の端部に巻き付けておき、係合しようとする際は、その端部同士を押し付ければ両者は係合される。或いは、係合部２として短い紐を使用することも出来る。棒体３の端部に短い紐を取り付けておき、係合しようとする際は、その紐同士を結べば両者は係合される。
網４の目の大きさは、物干し竿に掛けた洗濯物の上から網４を被せた際、洗濯物が目から出てしまわない程度の大きさとする。また、網４の材料としては、水を吸収しない性質のものが望ましい。
【００１０】
図２は、本考案の使用の仕方を説明する図である。符号は図１のものに対応し、５は物干し竿、６は洗濯物である。図２（１）は、洗濯したばかりの洗濯物６を、物干し竿５に掛けた状態を示し、図２（２）はそれらの洗濯物６の上に、本考案の物干し具１を掛けた状態を示している。
本考案の物干し具１を使用して洗濯物を干す場合は、先ず図２（１）のように、洗濯物６を物干し竿５に、洗濯挟みで挟んだりすることなく単に次々と掛けてゆく。次に、物干し具１を、幾つかの洗濯物６の上にフワリと被せる。
【００１１】
この時、各棒体３が、物干し竿５から両側に同じだけ下がった所に位置するようにする（言い換えれば、網４の長手方向の中心線部分が、丁度物干し竿５の上に来るように被せる。）。そうすれば、各棒体３の対応する係合部２は、隣り合わせの位置にぶら下がることになるから、それらを互いに係合する（面ファスナーの場合なら押し付けあうだけで良いし、紐の場合なら結べば良い。）。
こうすれば、洗濯物６は両側から網４で挟まれるから、物干し竿５から落ちることはない。また、網であるから、洗濯物６に当たる太陽光を一部妨げるといっても、洗濯物の感想を実用的な観点から見て妨げになるほどに、太陽光を遮るわけではない。
【００１２】
洗濯物６が乾いて取り入れる場合は、先ず係合部２の係合を解き、物干し具１を取り除く。次に、各洗濯物６を物干し竿５から取り外せばよい。
以上述べたことから分かるように、本考案の物干し具１を使用すれば、洗濯物６を干す場合も取り入れる場合も、洗濯挟みを全く使用する必要がなくなる。従って、洗濯挟みを何回も何回も開閉操作する必要がなくなり、大幅に手間がかからなくなると共に、洗濯挟みの開閉操作が手早く出来なくなっている高齢者等にとって、労力もかからなくなる。
【図面の簡単な説明】
【００１３】
【図１】本考案の物干し具を示す図
【図２】本考案の使用の仕方を説明する図
【符号の説明】
【００１４】
１…物干し具、２…係合部、３…棒体、４…網、５…物干し竿、６…洗濯物
【図１】
0003110946.tif 000003
【図２】
0003110946.tif 000004